(57)【要約】      （修正有）【課題】人体の姿勢を正確に確定できるルームウェア型ウェアラブル装置を提供する。【解決手段】ルームウェア型ウェアラブル装置は、ルームウェア型ウェアラブル装置本体及び制御器を含む。ルームウェア型ウェアラブル装置本体は、複数の電極を含み、複数の電極は制御器と互いに接続され、制御器は信号処理器を含む。制御器は、複数の電極を介して人体を検知し、人体の心電図及びその信号を取得するとともに、心電図信号に基づいて人体の姿勢を確定する。複数の電極は、心電図の等電位線に従って設置される。【選択図】図１
0003231429.tif 000002
【実用新案登録請求の範囲】
【請求項１】
人体に使用し、ルームウェア型ウェアラブル装置本体と制御器を含み、前記ルームウェア型ウェアラブル装置本体が複数の電極を含み、前記複数の電極と前記制御器が互いに接続され、前記制御器が信号処理器を含み、前記制御器は、前記ルームウェア型ウェアラブル装置本体が任意の状態にあるとき、前記複数の電極を介して前記人体を検知して、前記人体の心電図及び心電図信号を取得し、前記ルームウェア型ウェアラブル装置本体は、如何なる姿勢であっても前記心電図信号を読み取ることが可能であり、前記複数の電極は、前記心電図の等電位線に従って設置されることを特徴とする、ルームウェア型ウェアラブル装置。
【請求項２】
前記制御器は、前記ルームウェア型ウェアラブル装置本体から送信する前記心電図信号を受信し、且つ前記心電図信号に基づいて前記人体の姿勢を確定する、請求項１に記載のルームウェア型ウェアラブル装置。
【請求項３】
前記心電図信号は、振幅、時間幅及び位相を含み、
前記制御器は、前記心電図信号の前記振幅、前記時間幅及び前記位相に基づき、前記人体の姿勢を確定する、請求項２に記載のルームウェア型ウェアラブル装置。
【請求項４】
前記複数の電極は、第１電極、第２電極、第３電極、第４電極、第５電極、第６電極、第７電極及び第８電極を含み、
前記第１電極から前記第４電極までは、前記ルームウェア型ウェアラブル装置本体の両脇下に設置され、
前記第５電極と前記第６電極は、前記ルームウェア型ウェアラブル装置本体の胸部に設置され、
前記第７電極と前記第８電極は、それぞれ前記ルームウェア型ウェアラブル装置本体の背部に設置される、請求項１に記載のルームウェア型ウェアラブル装置。
【請求項５】
各前記電極の周囲にフレームが設置され、前記フレームは、外力を検知し、且つ前記外力が所定の閾値に達したとき、前記電極を作動させて前記心電図信号を前記制御器へ送信させる、請求項１に記載のルームウェア型ウェアラブル装置。
【請求項６】
前記フレームは、布材料、プラスチック材料、シリコーンゴム、ゴム、スポンジ、紡績糸のうちのいずれも１つの材料を採用する、請求項５に記載のルームウェア型ウェアラブル装置。
【請求項７】
各前記電極の底部には、各前記電極を持ち上がらせるための布材料、スポンジ、気嚢又は液嚢材料が設置される、請求項１に記載のルームウェア型ウェアラブル装置。
【請求項８】
前記複数の電極の材料は、導電性布材料、導電性プラスチック材料、導電性シリコーンゴム、導電性ゴム、導電性スポンジ、金属片のうちのいずれも１つの材料を採用する、請求項１に記載のルームウェア型ウェアラブル装置。
【請求項９】
前記制御器は、増幅器、バンドパスフィルタ、Ａ／Ｄコンバータ、特徴抽出器及び判別器を含み、前記増幅器は前記制御器と互いに接続され、前記増幅器は前記バンドパスフィルタと互いに接続され、前記バンドパスフィルタは前記Ａ／Ｄコンバータと互いに接続され、前記Ａ／Ｄコンバータは前記特徴抽出器と互いに接続され、前記特徴抽出器は前記判別器と互いに接続され、
前記増幅器は、前記心電図信号を増幅し、
前記バンドパスフィルタは、増幅後の前記心電図信号をフィルタリングして、高周波ノイズと低周波ノイズを除去し、
前記Ａ／Ｄコンバータは、前記高周波ノイズと前記低周波ノイズを除去した前記心電図信号に対してアナログデジタル変換を行い、
前記特徴抽出器は、アナログデジタル変換後の前記心電図信号の振幅、時間幅及び位相に基づき、前記心電図信号の特徴を抽出し、
前記判別器は、前記振幅、前記時間幅及び前記位相に基づき、前記人体の姿勢を確定する、請求項１に記載のルームウェア型ウェアラブル装置。
【請求項１０】
前記制御器は、前記心電図信号を携帯電話、コンピュータ又はクラウドへ無線送信して、前記心電図信号と前記人体の姿勢を同時に解析する、請求項１に記載のルームウェア型ウェアラブル装置。
【請求項１１】
前記ルームウェア型ウェアラブル装置本体は衣服であり、前記ルームウェア型ウェアラブル装置本体は第１電極及び第２電極を含み、前記第１電極は、Ｒ波の等電位線が−１の位置から、右側へ前記Ｒ波の等電位線が−０．５の位置まで延在し、さらに前記Ｒ波の等電位線が−０．３の位置まで延在する方法で設置され、前記第２電極は、前記Ｒ波の等電位線が０．３の位置から、前記Ｒ波の等電位線が１．４の位置まで延在し、さらに前記Ｒ波の等電位線が０．３の位置まで延在する、請求項１に記載のルームウェア型ウェアラブル装置。
【請求項１２】
前記ルームウェア型ウェアラブル装置本体は衣服であり、前記ルームウェア型ウェアラブル装置本体は第１電極及び第２電極を含み、前記第１電極は、Ｒ波の等電位線が−０．３の位置から、右後ろの前記Ｒ波の等電位線が−０．３の位置を越えて前記Ｒ波の等電位線が０．３の位置に近いところを通過するまで延在し、前記第２電極は、前記Ｒ波の等電位線が１．４の位置から、前記Ｒ波の等電位線が−０．７の位置を越えるところまで延在する、請求項１に記載のルームウェア型ウェアラブル装置。
【請求項１３】
前記ルームウェア型ウェアラブル装置本体は衣服であり、前記ルームウェア型ウェアラブル装置本体は第１電極及び第２電極を含み、前記第１電極は、Ｒ波の等電位線が−０．５の位置から、前記Ｒ波の等電位線が−０．３の位置の内側に近いところまで延在し、前記第２電極は、前記Ｒ波の等電位線が０．５の位置から、前記Ｒ波の等電位線が−０．７の位置まで延在する、請求項１に記載のルームウェア型ウェアラブル装置。
【請求項１４】
前記ルームウェア型ウェアラブル装置本体は衣服であり、前記ルームウェア型ウェアラブル装置本体は第１電極、第２電極及び第３電極を含み、前記第１電極は、Ｒ波の等電位線が−０．５の位置から、前記Ｒ波の等電位線が−０．３の位置の内側に近いところまで延在し、前記第２電極は、前記Ｒ波の等電位線が１．４の位置から、前記Ｒ波の等電位線が０．３の位置まで延在し、前記第３電極は、等電位線が０．５の位置に置く、請求項１に記載のルームウェア型ウェアラブル装置。
【請求項１５】
前記ルームウェア型ウェアラブル装置本体は衣服であり、前記ルームウェア型ウェアラブル装置本体は第１電極、第２電極及び第３電極を含み、前記第１電極は、Ｒ波の等電位線が−０．５の位置から、前記Ｒ波の等電位線が−０．３の位置に近いところまで延在し、前記第２電極は、前記Ｒ波の等電位線が１．４から、前記Ｒ波の等電位線が０．３の位置まで延在し、前記第３電極は、前記Ｒ波の等電位線が０の位置に置く、請求項１に記載のルームウェア型ウェアラブル装置。
【請求項１６】
前記ルームウェア型ウェアラブル装置本体は衣服であり、前記ルームウェア型ウェアラブル装置本体は第１電極、第２電極、第３電極及び第４電極を含み、前記第１電極は、Ｒ波の等電位線が−０．５の位置から、前記Ｒ波の等電位線が−０．３の位置に近いところまで延在する、又は前記Ｒ波の等電位線が−０．３の位置を起点とし、前記第２電極は、前記Ｒ波の等電位線が１．４の位置から、前記Ｒ波の等電位線が０．３の位置まで延在する、又は前記Ｒ波の等電位線が０．３の位置を起点とし、前記第３電極は、前記Ｒ波の等電位線が０の位置に置き、前記第４電極は、前記Ｒ波の等電位線が０．５の位置に設置する、請求項１に記載のルームウェア型ウェアラブル装置。
【請求項１７】
前記ルームウェア型ウェアラブル装置本体は衣服であり、前記ルームウェア型ウェアラブル装置本体は第１電極、第２電極、第３電極、第４電極、第５電極、第６電極、第７電極及び第８電極を含み、前記第１電極は、Ｒ波の等電位線が−０．５の位置に設置する、又は前記Ｒ波の等電位線が−０．５の位置を起点とし、前記第２電極は、前記Ｒ波の等電位線が０の位置に設置し、前記第３電極は、前記Ｒ波の等電位線が１．４の位置に設置する、又は、前記Ｒ波の等電位線が１．４の位置を起点とし、前記第４電極は、前記Ｒ波の等電位線が０．５ボルトの位置に設置し、前記第５電極は、Ｖ１誘導の位置に設置し、前記第６電極は、Ｖ２誘導の位置に設置し、前記第７電極は、前記Ｒ波の等電位線が−０．３の位置に設置し、前記第８電極は、前記Ｒ波の等電位線が０．３ボルトの位置に設置する、請求項１に記載のルームウェア型ウェアラブル装置。
【請求項１８】
前記心電図信号はＲ波を含み、前記複数の電極同士の間隔はＲ波等電位差の０．２倍よりも大きい、請求項１に記載のルームウェア型ウェアラブル装置。
【請求項１９】
前記制御器と互いに接続される警報装置をさらに含み、前記警報装置は、振幅、時間幅及び位相のうちのいずれかが所定の閾値を超えた場合に警報信号を発信する、請求項１に記載のルームウェア型ウェアラブル装置。
【請求項２０】
記録装置又は表示装置をさらに含み、前記記録装置は前記制御器と互いに接続され、前記表示装置は前記記録装置と互いに接続され、
前記制御器は、連続的に検知される心電図信号を検知し、且つ前記連続的に検知される心電図信号を前記記録装置へ送信し、連続的な情報を前記記録装置へ送信し、
前記記録装置は、前記連続的な心電図信号及び前記連続的な人体の姿勢情報を対応付けて、連続的な心電図信号及び姿勢情報を形成し、且つ前記心電図信号及び姿勢情報を前記表示装置へ送信し、
前記表示装置は、形式を設定して、前記心電図信号及び姿勢情報を表示する、請求項１に記載のルームウェア型ウェアラブル装置。
【請求項２１】
前記第１電極、前記第２電極は、前記ルームウェア型ウェアラブル装置の左右袖口脇下部の位置まで延在する、又はさらに腕の位置まで延在する、請求項４、１１、１２、１３、１４、１５、１６又は１７のいずれか１項に記載のルームウェア型ウェアラブル装置。
【請求項２２】
各前記電極は、内・外どちらも導電性がある電極である、請求項１に記載のルームウェア型ウェアラブル装置。
【請求項２３】
前記ルームウェア型ウェアラブル装置は、寝間着又はシャツであり、前記寝間着又は前記シャツの左右両側に前記電極が設置されており、且つ前記電極の底部に電極材料が設置されているとき、前記左右両側の電極底部の電極材料はボタンをまたいで繋がれて導通する、請求項１に記載のルームウェア型ウェアラブル装置。
【請求項２４】
人体に使用し、ルームウェア型ウェアラブル装置本体、制御器及び通信装置を含み、前記ルームウェア型ウェアラブル装置本体が前記制御器と互いに接続され、前記ルームウェア型ウェアラブル装置本体が複数の電極を含み、前記制御器が前記通信装置と互いに接続され、前記通信装置が端末又はクラウドと通信接続され、
前記ルームウェア型ウェアラブル装置本体は、前記制御器を載荷し、
前記制御器は、前記複数の電極を介して前記人体を検知して、前記人体の心電図及び心電図信号を取得するとともに、前記心電図信号を前記通信装置へ送信し、前記複数の電極は、前記心電図の等電位線に従って設置され、
前記通信装置は、前記心電図信号を端末又はクラウドへ送信して、前記端末又は前記クラウドが前記心電図信号に基づいて前記人体の姿勢を確定することを特徴とする、ルームウェア型ウェアラブル装置。
【請求項２５】
前記心電図信号は、振幅、時間幅及び位相を含み、
前記クラウドは、前記心電図信号の前記振幅、前記時間幅及び前記位相に基づいて前記人体の姿勢を確定する、請求項２４に記載のルームウェア型ウェアラブル装置。
【請求項２６】
人体に使用し、ルームウェア型ウェアラブル装置本体と制御器を含み、前記ルームウェア型ウェアラブル装置本体が複数の電極を含み、前記複数の電極が前記制御器と互いに接続され、前記制御器が信号処理器を含み、前記制御器は、前記ルームウェア型ウェアラブル装置本体が任意の状態にあるとき、前記複数の電極を介して前記人体を検知して、前記人体の心電図及び心電図信号を取得するとともに、前記心電図信号に基づき、且つ姿勢センサを利用して姿勢を検出し、前記姿勢センサは、加速度計、ジャイロスコープ、傾きセンサ、織物静電容量センサ又は画像抽出装置であり、前記複数の電極は、前記心電図の等電位線に従って設置されることを特徴とする、ルームウェア型ウェアラブル装置。
【請求項２７】
前記姿勢は、仰臥位姿勢、左側臥位姿勢、右側臥位姿勢、腹臥位姿勢、左側臥位から前へ向かって変化した姿勢、右側臥位時に変化した姿勢、人体に布団を被せた姿勢、人体に布団を被せていない姿勢、立位姿勢、歩行姿勢、外物の干渉を受けた姿勢のうちのいずれも１つ以上を含む、請求項２３、２４、２６のいずれか１項に記載のルームウェア型ウェアラブル装置。
【考案の詳細な説明】
【技術分野】
【０００１】
本考案は信号検出技術分野に関し、特にルームウェア型ウェアラブル装置に関するものである。
【背景技術】
【０００２】
生活水準や保健医療の長足の進歩に伴い、人類の平均寿命は徐々に延び、高齢者人口の比率は継続的に増加している。高齢化に直面する社会においては、福祉、医療医薬品技術及び社会保障制度上の様々な問題が顕在化するにつれ、家族や家庭から十分に行き届いた世話を受けられない高齢者がますます増えている。また、飲食や生活習慣が変化したことにより、高血圧、糖尿病、痛風、高脂血症及び心臓病などの慢性疾患を患う人口比率も急速に上昇している。これらの人々の大多数は、不測の事態を防ぐために、心電図信号をいつでもどこでも測定するためのリアルタイムによる心電図信号モニタリングシステムを必要としている。
【０００３】
心電図は、心筋細胞膜の分極と脱分極の周期的な変化によるものである。心電図信号は、人体の姿勢に対して敏感である。そのため、心電図を利用して人体の姿勢を判断することも可能である。
【０００４】
従って、人体の姿勢を如何に正確に確定するかが解決すべき技術的課題となっている。
【先行技術文献】
【非特許文献】
【０００５】
【非特許文献１】Ｍｉｌｌｅｒ  ＷＴ，  Ｇｅｓｅｌｏｗｉｔｚ  ＤＢ．  “Ｓｉｍｕｌａｔｉｏｎ  ｓｔｕｄｉｅｓ  ｏｆ  ｔｈｅ  ｅｌｅｃｔｒｏｃａｒｄｉｏｇｒａｍ．  Ｉ．  Ｔｈｅ  ｎｏｒｍａｌ  ｈｅａｒｔ．”Ｃｉｒｃｕｌａｔｉｏｎ  Ｒｅｓｅａｒｃｈ，  （米），  １９７８年８月，  ４３，  （２），  ｐ．３０１−３１５
【非特許文献２】Ｗｉｌｌｉｓ  Ｊ．  Ｔｏｍｐｋｉｎｓ，  “Ｂｉｏｍｅｄｉｃａｌ  Ｄｉｇｉｔａｌ  Ｓｉｇｎａｌ  Ｐｒｏｃｅｓｓｉｎｇ：  Ｃ−Ｌａｎｇｕａｇｅ  Ｅｘａｍｐｌｅｓ  ａｎｄ  Ｌａｂｏｒａｔｏｒｙ  Ｅｘｐｅｒｉｍｅｎｔｓ  ｆｏｒ  ｔｈｅ  ＩＢＭ  ＰＣ”，  （米），  Ｐｒｅｎｔｉｃｅ−Ｈａｌｌ，  Ｉｎｃ．，  １９９３
【考案の概要】
【考案が解決しようとする課題】
【０００６】
本考案は、人体の姿勢を如何に正確に確定するかという技術的課題を解決するため、ルームウェア型ウェアラブル装置を提供することを目的としている。
【課題を解決するための手段】
【０００７】
上述の目的を実現するために、本考案の第１態様では、以下の技術案を提供する。人体に使用し、ルームウェア型ウェアラブル装置本体と制御器を含み、ルームウェア型ウェアラブル装置本体が複数の電極を含み、複数の電極と制御器が互いに接続され、制御器が信号処理器を含むことを特徴としており、そのうち、制御器は、ルームウェア型ウェアラブル装置本体が任意の状態にあるとき、複数の電極を介して人体を検知して、人体の心電図及びその信号を取得するとともに、心電図信号を表示装置へ送信し、ルームウェア型ウェアラブル装置本体は、如何なる姿勢であっても心電図信号を読み取ることが可能であり、複数の電極は、心電図の等電位線に従って設置されるルームウェア型ウェアラブル装置。
【０００８】
さらに、制御器は、ルームウェア型ウェアラブル装置本体から送られて来る心電図信号を受信し、且つ心電図信号に基づいて人体の姿勢を確定する。ルームウェア型ウェアラブル装置本体は、如何なる姿勢であっても心電図信号を読み取ることが可能である。さらに、心電図信号は、振幅、時間幅及び位相を含む。
【０００９】
制御器は、具体的には心電図信号の振幅、時間幅及び位相に基づき、人体の姿勢を確定する。
【００１０】
さらに、複数の電極は、第１〜第８電極を含む。
【００１１】
そのうち、第１電極〜第４電極は、ルームウェア型ウェアラブル装置本体の両脇下に設置される。
【００１２】
第５電極と第６電極は、ルームウェア型ウェアラブル装置本体の胸部に設置される。
【００１３】
第７電極と第８電極は、それぞれルームウェア型ウェアラブル装置本体の背部に設置される。
【００１４】
さらに、各電極の周囲にはフレームが設置される。フレームは、外力を検知し、且つ外力が所定の閾値に達したとき、制御器を作動させて心電図信号を表示装置へ送信させる。
【００１５】
さらに、フレームは、布材料、プラスチック材料、シリコーンゴム、ゴム、スポンジ、紡績糸のうちのいずれか１つまたは複数の材料を採用する。
【００１６】
さらに、各電極の底部には、各電極を持ち上がらせるための布材料、スポンジ、気嚢又は液嚢材料が設置されている。
【００１７】
さらに、複数の電極の材料は、導電性布材料、導電性プラスチック材料、導電性シリコーンゴム、導電性ゴム、導電性スポンジ、金属片のうちのいずれか１つまたは複数の材料を採用する。
【００１８】
さらに、制御器は、増幅器、バンドパスフィルタ、Ａ／Ｄ変換器、特徴抽出器及び判別器を含み、増幅器は制御器と互いに接続され、増幅器はバンドパスフィルタと互いに接続され、バンドパスフィルタはＡ／Ｄ変換器と互いに接続され、Ａ／Ｄ変換器は特徴抽出器と互いに接続され、特徴抽出器は判別器と互いに接続される。
【００１９】
増幅器は、心電図信号を増幅するためのものである。
【００２０】
バンドパスフィルタは、増幅後の心電図信号をフィルタリングして、高周波ノイズと低周波ノイズを除去するためのものである。
【００２１】
Ａ／Ｄ変換器は、高周波ノイズと低周波ノイズを除去した心電図信号に対してアナログデジタル変換を行うためのものである。
【００２２】
特徴抽出器は、アナログデジタル変換後の心電図信号の振幅、時間幅及び位相に基づき、心電図信号の特徴を抽出するためのものである。
【００２３】
判別器は、振幅、時間幅及び位相に基づき、人体の姿勢を確定するためのものである。
【００２４】
さらに、判別器は、具体的には対応関係を基に、振幅、時間幅及び位相に基づき、人体の姿勢を確定するためのものである。対応関係は、振幅、時間幅及び位相と人体の姿勢との間の関係を表すためのものである。
【００２５】
さらに、ルームウェア型ウェアラブル装置本体は衣服であり、ルームウェア型ウェアラブル装置本体は第１及び第２電極を含む。第１電極は、Ｒ波の等電位線が−１の位置から、右側へＲ波の等電位線が−０．５の位置まで延在し、さらにＲ波の等電位線が−０．３の位置まで延在する方法で設置する。第２電極は、Ｒ波の等電位線が０．３の位置から、さらにＲ波の等電位線が１．４の位置まで延在し、さらにＲ波の等電位線が０．３の位置まで延在する。
【００２６】
さらに、ルームウェア型ウェアラブル装置本体は衣服であり、ルームウェア型ウェアラブル装置本体は第１及び第２電極を含む。第１電極は、Ｒ波の等電位線が−０．３の位置から、右後ろのＲ波の等電位線が−０．３の位置を越えてＲ波の等電位線が０．３の位置に近いところを通過するまで延在する。第２電極は、Ｒ波の等電位線が１．４の位置から、Ｒ波の等電位線が−０．７の位置を越えるところまで延在する。
【００２７】
さらに、ルームウェア型ウェアラブル装置本体は衣服であり、ルームウェア型ウェアラブル装置本体は第１及び第２電極を含む。第１電極は、Ｒ波の等電位線が−０．５の位置から、Ｒ波の等電位線が−０．３の内側の位置に近いところまで延在する。第２電極は、Ｒ波の等電位線が０．５の位置から、等電位線が−０．７の位置まで延在する。
【００２８】
さらに、ルームウェア型ウェアラブル装置本体は衣服であり、ルームウェア型ウェアラブル装置本体は第１、第２及び第３電極を含む。第１電極は、Ｒ波の等電位線が−０．５の位置から、Ｒ波の等電位線が−０．３の内側の位置に近いところまで延在する。第２電極は、Ｒ波の等電位線が１．４の位置から、Ｒ波の等電位線が０．３の位置まで延在する。第３電極は、等電位線が０．５の位置に置く。
【００２９】
さらに、ルームウェア型ウェアラブル装置本体は衣服であり、ルームウェア型ウェアラブル装置本体は第１、第２及び第３電極を含む。第１電極は、Ｒ波の等電位線が−０．５の位置から、Ｒ波の等電位線が−０．３付近の位置まで延在する。第２電極は、Ｒ波の等電位線が１．４の位置から、Ｒ波の等電位線が０．３の位置まで延在する。第３電極は、等電位線が０の位置に置く。
【００３０】
さらに、ルームウェア型ウェアラブル装置本体は衣服であり、ルームウェア型ウェアラブル装置本体は第１〜第４電極を含む。第１電極は、Ｒ波の等電位線が−０．５の位置から、Ｒ波の等電位線が−０．３付近の位置まで延在する、又はＲ波の等電位線が−０．３の位置を起点とする。第２電極は、Ｒ波の等電位線が１．４の位置から、Ｒ波の等電位線が０．３の位置まで延在する、又はＲ波の等電位線が０．３の位置を起点とする。第３電極は、等電位線が０の位置に置く。第４電極は、等電位線が０．５の位置に設置する。
【００３１】
さらに、ルームウェア型ウェアラブル装置本体は衣服であり、ルームウェア型ウェアラブル装置本体は第１〜第８電極を含む。第１電極は、Ｒ波の等電位線が−０．５の位置に設置する、又はＲ波の等電位線が−０．５の位置を起点とする。第２電極は、Ｒ波の等電位線が０の位置に設置する。第３電極は、Ｒ波の等電位線が１．４の位置に設置する、又は、Ｒ波の等電位線が１．４等電位線の位置を起点とする。第４電極は、Ｒ波の等電位線が０．５ボルトの位置に設置する。第５電極は、Ｖ１誘導の位置に設置する。第６電極は、Ｖ２誘導の位置に設置する。第７電極は、Ｒ波の等電位線が−０．３の位置に設置する。第８電極は、Ｒ波の等電位線が０．３ボルトの位置に設置する。
【００３２】
さらに、心電図信号はＲ波を含み、複数の電極同士の間隔はＲ波等電位差の０．２倍よりも大きい。
【００３３】
さらに、装置は、制御器と互いに接続される警報装置も含み、警報装置は、振幅、時間幅及び位相のうちのいずれかが所定の閾値を超えた場合に警報信号を発信する。
【００３４】
さらに、装置は、記録装置と表示装置も含み、記録装置は制御器と互いに接続され、表示装置は記録装置と互いに接続される。
【００３５】
制御器は、連続的に検知される心電図信号を検知し、且つ連続的に検知される心電図信号を記録装置へ送信するためのものであり、また連続的な情報を記録装置へ送信するためのものでもある。
【００３６】
記録装置は、連続的な心電図信号及び連続的な人体の姿勢情報を対応付けて、連続的な心電図信号及び姿勢情報を形成し、且つ心電図信号及び姿勢情報を表示装置へ送信するためのものである。
【００３７】
表示装置は、形式を設定して、心電図信号及び姿勢情報を表示するためのものである。
【００３８】
さらに、第１電極、第２電極は、ルームウェア型ウェアラブル装置の左右袖口脇下部の位置まで延在する、又はさらに腕の位置まで延在する。
【００３９】
さらに、各電極は、内外どちらも導電性がある電極である。
【００４０】
さらに、ルームウェア型ウェアラブル装置は、寝間着又はシャツであり、寝間着又はシャツの左右両側に電極が設置されており、電極の底部に電極材料が設置されているとき、左右両側の電極底部の電極材料はボタンをまたいで繋がれて導通する。
【００４１】
上述の目的を実現するために、本考案の第２態様では、以下の技術案をさらに提供する。
【００４２】
人体に使用し、ルームウェア型ウェアラブル装置本体、制御器及び通信装置を含み、ルームウェア型ウェアラブル装置本体が制御器と互いに接続され、ルームウェア型ウェアラブル装置本体が複数の電極を含み、制御器が通信装置と互いに接続され、通信装置が端末又はクラウドと通信接続されることを特徴とするルームウェア型ウェアラブル装置。
【００４３】
ルームウェア型ウェアラブル装置本体は、制御器を載荷するためのものである。
【００４４】
制御器は、複数の電極を介して人体を検知して、人体の心電図及びその信号を取得するとともに、心電図信号を通信装置へ送信するためのものであり、複数の電極は、心電図の等電位線に従って設置される。
【００４５】
通信装置は、心電図信号を端末又はクラウドへ送信して、端末又はクラウドが心電図信号に基づいて人体の姿勢を確定するようにさせるためのものである。
【００４６】
さらに、心電図信号は、振幅、時間幅及び位相を含む。
【００４７】
クラウドは、心電図信号の振幅、時間幅及び位相に基づいて人体の姿勢を確定する。
【００４８】
上述の目的を実現するために、本考案の第３態様では、以下の技術案をさらに提供する。
【００４９】
人体に使用し、ルームウェア型ウェアラブル装置本体と制御器を含み、ルームウェア型ウェアラブル装置本体が制御器と互いに接続される複数の電極を含み、制御器が信号処理器を含み、制御器は、ルームウェア型ウェアラブル装置本体が任意の状態にあるとき、複数の電極を介して人体を検知して、人体の心電図及びその信号を取得するとともに、心電図信号を表示装置へ送信するためのものであり、心電図信号に基づき、制御器を利用して姿勢を検出し、制御器は、加速度計、ジャイロスコープ、傾きセンサ、織物静電容量センサ又は画像抽出装置であり、複数の電極は、心電図の等電位線に従って設置されるルームウェア型ウェアラブル装置。
【００５０】
さらに、姿勢は、仰臥位姿勢、左側臥位姿勢、右側臥位姿勢、腹臥位姿勢、左側臥位から前へ向かって変化した姿勢、右側臥位から変化した姿勢、人体に布団を被せた姿勢、人体に布団を被せていない姿勢、立位姿勢、歩行姿勢、外物の干渉を受けた姿勢のうちのいずれか１つ以上を含む。
【考案の効果】
【００５１】
従来技術と比較し、本考案は少なくとも以下の優位点を有する。
【００５２】
本考案の実施例では、ルームウェア型ウェアラブル装置を提供する。ルームウェア型ウェアラブル装置は人体に使用し、ルームウェア型ウェアラブル装置は、ルームウェア型ウェアラブル装置本体と制御器を含み、ルームウェア型ウェアラブル装置本体は複数の電極を含み、複数の電極は制御器と互いに接続され、制御器は信号処理器を含み、そのうち、制御器は、ルームウェア型ウェアラブル装置本体が任意の状態にあるとき、複数の電極を介して人体を検知して、人体の心電図及びその信号を取得するとともに、心電図信号を表示装置へ送信するためのものであり、複数の電極は、心電図の等電位線に従って設置される。ルームウェア型ウェアラブル装置本体は、如何なる姿勢であっても心電図信号を読み取ることが可能であり、これにより、人体がベッド上又は椅子などの上でどんな姿勢を取ったとしても、人体とベッド又は椅子などとの接触を利用して複数の電極と人体との間の良好な接触を確保することができ、心電図信号を正確に検知するとともに、正確に検知した心電図信号に基づいて人体の姿勢を正確に確定することができ、人体の姿勢を正確に確定する技術効果が実現される。心電図信号は、初期の心臓病や、不整脈、心筋梗塞などの睡眠時の心臓の状態、呼吸、臥位における姿勢の変化、慢性疲労、ｈｒｖ（Ｈｅａｒｔ  Ｒａｔｅ  Ｖａｒｉａｂｉｌｉｔｙ、心拍変動）、睡眠の質、掛け布団や腕など外物が身体に当たっているかどうかなどを発見するのに用いることができる。
【００５３】
上述の説明は、本考案の概要に過ぎず、本考案の技術的手段をより明解にして、明細書の内容に従って実施できるようにするため、また本考案の上述及び他の目的、特徴並びに優位点をより明解にするために、以下で図面を基に好ましい実施例を挙げて詳細に説明する。
【００５４】
本考案の実施例又は従来技術中の技術案をより明確に説明するために、以下では実施例又は従来技術の記述において用いる必要がある図面について簡単に紹介するが、以下の記述中の図面は本考案の幾つかの実施例に過ぎず、本分野の当業者であれば、創造的な労働をすることなくこれらの図面に基づいて他の図面を取得し得ることは明らかである。本考案の例示的な実施例及びその説明は、本考案を説明するためのものであり、本考案に対し不適当な限定を構成しない。
【図面の簡単な説明】
【００５５】
【図１】本開示の実施例に基づく、ルームウェア型ウェアラブル装置の構造概念図である。
【図２】本開示の実施例に基づく、周囲にフレームが設置された電極の構造概念図である。
【図３】本開示の実施例に基づく、制御器の構造概念図である。
【図４】本開示の実施例に基づく、ルームウェア型ウェアラブル装置正面上の２つの電極とＲ波等電位線の概念図である。
【図５】本開示の実施例に基づく、ルームウェア型ウェアラブル装置背面上の２つの電極とＲ波等電位線の概念図である。
【図６】本開示の実施例に基づく、ルームウェア型ウェアラブル装置正面上の４つの電極とＲ波等電位線の概念図である。
【図７】本開示の実施例に基づく、ルームウェア型ウェアラブル装置背面上の４つの電極とＲ波等電位線の概念図である。
【図８】本開示の実施例に基づく、ルームウェア型ウェアラブル装置正面上の３つの電極とＲ波等電位線の概念図である。
【図９】本開示の実施例に基づく、ルームウェア型ウェアラブル装置背面上の３つの電極とＲ波等電位線の概念図である。
【図１０】本開示の別の実施例に基づく、ルームウェア型ウェアラブル装置正面上の４つの電極とＲ波等電位線の概念図である。
【図１１】本開示の別の実施例に基づく、ルームウェア型ウェアラブル装置背面上の４つの電極とＲ波等電位線の概念図である。
【図１２】本開示の実施例に基づく、ルームウェア型ウェアラブル装置正面上の８つの電極とＲ波等電位線の概念図である。
【図１３】本開示の実施例に基づく、ルームウェア型ウェアラブル装置背面上の８つの電極とＲ波等電位線の概念図である。
【図１４】本開示の別の実施例に基づく、ルームウェア型ウェアラブル装置の構造概念図である。
【図１５】本開示のさらに別の実施例に基づく、ルームウェア型ウェアラブル装置の構造概念図である。
【図１６】本開示のさらに別の実施例に基づく、ルームウェア型ウェアラブル装置の構造概念図である。
【考案を実施するための形態】
【００５６】
以下、本考案の実施形態を特定の具体的な実施例によって説明する。当業者は、本明細書に開示する内容により、本考案の他の優位点及び効果を容易に理解することができる。記述する実施例は本考案の実施例の一部に過ぎず、全ての実施例ではないことは明らかである。実施例中の何らかの技術的特徴、何らかの技術案は、いずれも複数の選択可能な技術的特徴又は選択可能な技術案のうちの１つ又は幾つかであり、簡潔に記述する必要があるため、本明細書では本考案の全ての代替可能な技術的特徴及び代替可能な技術案を挙げることはできず、また技術的特徴の実施形態毎にそれが選択可能な複数の実施形態の１つであると強調する必要もなく、当業者は、本考案が提供する任意の技術手段を代替するか又は本考案が提供する任意の２つ以上の技術手段若しくは技術的特徴を組み合わせることで新たな技術案を取得し得ることを理解すべきである。また、本考案は別の異なる具体的な実施形態によって実施又は使用してもよく、本明細書中の各種詳細についても、異なる観点及び使用に基づき本考案の精神を逸脱することなく各種の修飾又は変更を行うことができる。なお、以下の実施例及び実施例中の特徴は矛盾がない限り、相互に組み合わせることができる。本考案における実施例に基づき、当業者が創造的作業を行っていないという前提において得たその他の実施例は、すべて本考案の保護範囲に属する。
【００５７】
さらに説明すべき点として、実施例中で提供する図示は、本考案の基本的構想を例示的に説明したに過ぎず、図面中では本考案と関係のある構成部材を示したに過ぎず、実際の実施における構成部材の数量、形状及びサイズに従って作図したものではなく、実際の実施における各構成部材の形態、数量及び比率は随意的に変更可能であり、構成部材の配置形態もより複雑になり得る。
【００５８】
また、以下の記述において提供する具体的な詳細は、実施例を完全に理解させるためのものである。しかし、当業者は、これらの特定の詳細なしに記述の態様が実施され得ることを理解するであろう。
【００５９】
以下、本明細書が言及する概念について簡単に紹介する。
【００６０】
心電図（略称ＥＣＧ）とは、心筋の収縮に応じた心筋細胞の脱分極による心筋の電気的活動を表したものである。
【００６１】
心電図信号とは、人体体表の電極測定から読み取った心電図電圧（振幅）の経時的に変化する時間領域波形信号を指し、即ち体表から心臓の心拍周期毎に発生する電気活動の変化を記録したグラフ信号であり、要するに、心臓の電気活動の経時変化が表された信号である。心電図信号の波形は、振幅、時間幅及び位相を有する。
【００６２】
ＥＣＧが信号を記録する原理は、脱分極波が記録リード線に向かって移動するとき、プラス方向又は上向きに振れ、記録リード線から離れるとき、マイナス方向又は下向きに振れる。そのうち、心臓を通過する水平線の左向きの標記は０度（即ち基準点）である。その他のリード線は心臓の方向を基線として記述される。
【００６３】
心電図において、縦方向は通常ミリボルト（ｍＶ）を単位とし、横方向は通常ミリ秒（ｍｓ）を単位とする。例えば、縦軸は電圧振幅を表し、単位はｍＶである。横軸は時間を表し、単位はｍｓである。
【００６４】
正常な心電図には、Ｐ波、ＰＲ部、ＱＲＳ波群、ＳＴ部、Ｔ波などが含まれる。全てのウェーブレット特徴部はいずれも一定の生理学的意義を示している。そのうち、ＰＲ部及びＳＴ部は基本的に等電位線上にある。
【００６５】
等電位線とは、心筋の静止状態における電位を心電図中で表したものであり、簡単に言えば、隣接する２つのＱＲＳ波群を起点とした接続線である。
【００６６】
Ｐ波とは、ＥＣＧにおける１つ目の電気信号であり、２つの心房の電気信号の総和である。
【００６７】
心室の脱分極によって生じるＥＣＧ信号の最大部分は、ＱＲＳ複合波と呼ばれる。
【００６８】
Ｑ波とは、１つ目の最初に下向き又はマイナス方向に振れる信号である。
【００６９】
Ｒ波とは、Ｑ波の後、次の上向きに触れる信号である（ここで、仮にその信号が等電位線を通り過ぎた場合、プラス方向に変わる）。
【００７０】
Ｓ波とは、Ｒ波の後、次に振れる信号であり、等電位線を通り過ぎ、再び等電位線に戻る前の短時間マイナス電圧に変わる。
【００７１】
Ｐ、Ｑ、Ｒ、Ｓ波などの等電位面図については、以下の文献を参照されたい。Ｍｉｌｌｅｒ  ＷＴ，  Ｇｅｓｅｌｏｗｉｔｚ  ＤＢ．  “Ｓｉｍｕｌａｔｉｏｎ  ｓｔｕｄｉｅｓ  ｏｆ  ｔｈｅ  ｅｌｅｃｔｒｏｃａｒｄｉｏｇｒａｍ．  Ｉ．  Ｔｈｅ  ｎｏｒｍａｌ  ｈｅａｒｔ．”Ｃｉｒｃｕｌａｔｉｏｎ  Ｒｅｓｅａｒｃｈ，  （米），  １９７８年８月，  ４３，  （２），  ｐ．３０１−３１５。当該文献は参照によりここに組み込まれ、ここでは説明を省略する。
【００７２】
胸部誘導の横方向又は水平面内で記録する心電図は、Ｖ１〜Ｖ６誘導と呼ばれる。Ｖ１誘導は第４肋間胸骨右縁にあり、Ｖ２誘導は第４肋間胸骨左縁にあり、Ｖ３誘導はＶ２誘導とＶ４誘導の接続点の接続線の中間点にあり、Ｖ４誘導は左鎖骨中線と第５肋間の交わる位置にあり、Ｖ５は左前腋窩線上のＶ４のレベルの位置にあり、Ｖ６は左中腋窩線上のＶ４のレベルの位置にある。
【００７３】
ＥＣＧ信号の振幅と心筋細胞数は正比例を成す。
【００７４】
ＥＣＧ信号の振幅と、生理電極位置と心筋細胞との間の距離は、反比例関係を成す。心電信号の振幅は、電極方向と心筋電極が形成する角度と関係している。夾角が大きいほど、誘導でのＥＣＧ信号の投影が小さくなり、電位が弱くなる。
【００７５】
以下は、図１〜１６に基づき、本考案について詳細な説明を行う。
【００７６】
本考案は、人体の姿勢を如何に正確に確定するかという技術的課題を解決するため、ルームウェア型ウェアラブル装置を提供する。ルームウェア型ウェアラブル装置は、人体に使用することができる。図１に示す通り、ルームウェア型ウェアラブル装置は、ルームウェア型ウェアラブル装置本体１１及び制御器１２を含むことができる。ルームウェア型ウェアラブル装置本体は、複数の電極１１’を含む。複数の電極１１’は制御器１２と互いに接続される。制御器１２は信号処理器１３を含む。制御器１２は、ルームウェア型ウェアラブル装置本体１１が任意の状態にあるとき、複数の電極１１’を介して人体を検知して、人体の心電図及び心電図信号を取得するとともに、心電図信号を制御器１２へ送信するためのものであり、複数の電極１１’は、心電図の等電位線に従って設置される。
【００７７】
ルームウェア型ウェアラブル装置本体１１は、ボディペインティング（例えば、人体皮膚上のトーテム）、Ｔシャツ、シャツなどを含むが、これらに限らない。ルームウェア型ウェアラブル装置本体１１は、直接的に人体と接触させてもよいし、間接的に人体と接触させてもよい（例えば、下着を隔てて接触させる）。ルームウェア型ウェアラブル装置本体は、どんな姿勢であっても心電図信号を読み取ることが可能である。
【００７８】
複数の電極１１’同士は直列又は並列でよい。そのうち、複数の電極１１’は、２つ又は２つ以上でよい。
【００７９】
電極は、乾式電極、湿式電極、静電容量式電極などでよい。具体的な実施過程では、実際の状況に応じて適当な電極を選択することができる。例えば、先に電極と人体との間の抵抗を測定してから、抵抗に基づいて乾式電極、湿式電極のどちらにするかを決めることができる。
【００８０】
静電容量式電極上に高誘電率の材料又は厚さが異なる布材料を設置することで、異なる信号を検知することができる。高誘電率の材料は、二酸化ケイ素、酸化アルミニウム、二酸化チタン、チタン酸ニッケル、チタン酸バリウムなどを含むが、これらに限らない。
【００８１】
選択的に、各電極は直列又は並列の抵抗器、コンデンサ、インダクタでもよい。
【００８２】
人体の姿勢は、仰臥位、左側臥位、右側臥位、腹臥位、立位姿勢、布団をかけている／かけていない、シートベルトを締めている／締めていない、着ている服がゆったりしている／ぴったりしているなどを含むが、これらに限らない。例えば、仰臥位、左側臥位、腹臥位などの様々な睡眠姿勢によって押圧される電極は異なっており、心電図信号の波形に違いが生じるため、異なる心電図信号の特徴、即ち振幅、時間幅及び位相に基づいて人体の姿勢を正確に確定することができる。さらに、人体が寝返りを打ったとしても、人体の姿勢を正確に確定することができる。人体の姿勢を理解することにより、人体の睡眠状況などを知ることができる。
【００８３】
制御器１２は、心電図計、心拍センサ、スマートウォッチ、スマートフォン、コンピュータ、制御器、スマートブレスレットなどを含み得るが、これらに限らない。制御器の代替可能な実施例として、バックグラウンド（例えば、バックグラウンドサーバ、クラウドなど）により、心電図信号に基づいて人体の姿勢を確定してもよい。
【００８４】
本開示における実施例は、上述の技術案を採用することにより、複数の電極を人体の心電図の等電位線に従って設置し、これにより人体がベッド又は椅子などの上でどんな姿勢を取ったとしても、人体とベッド又は椅子などとの接触を利用することで複数の電極と人体との間の良好な接触を確保することが可能であり、心電図信号を正確に検知し、且つ正確に検知した心電図信号に基づいて人体の姿勢を正確に確定することができる。この姿勢は、初期の糖尿病、慢性疲労、冠状動脈疾患、神経性疾患などの慢性疾患の発見に用いることができる。
【００８５】
選択可能な１つの実施例中、制御器１２は、ルームウェア型ウェアラブル装置本体１１から送られて来る心電図信号を受信し、且つ心電図信号に基づいて人体の姿勢を確定するためのものであり、ルームウェア型ウェアラブル装置本体１１は、如何なる姿勢であっても心電図信号を読み取ることが可能である。
【００８６】
本実施例中、制御器１２は、検知した任意の心電図信号に基づいて人体の姿勢を確定することができる。姿勢は、上述に列挙した各種の姿勢でよい。
【００８７】
選択可能な１つの実施例中、心電図信号は振幅、時間幅及び位相を含む。制御器１２は、具体的には心電図信号の振幅、時間幅及び位相に基づき、人体の姿勢を確定するためのものである。
【００８８】
本実施例では、制御器１２が検知した人体の心電図信号の振幅、時間幅及び位相を所定の対応関係と比較対照することにより、人体の姿勢を確定することができる。対応関係は、心電図信号の振幅、時間幅及び位相と人体の姿勢との間の関係を表すためのものである。対応関係は、写像関係でもよいし、符号関係でもよいし、波形変化と姿勢変化の関係などでもよい。そのうち、符号関係は、１６進法などの数字を用いて表すことができる。
【００８９】
表１は、心電図信号の振幅、時間幅及び位相と人体の姿勢との間の符号関係を例示的に示したものである。
【００９０】
表１に示す姿勢及びその変化は、例えば３軸加速度計、ジャイロスコープ、画像抽出装置、傾きセンサ、カメラ及び／又は磁気計などを用いて検出することで取得し得る。３軸加速度計、ジャイロスコープ、画像抽出装置、傾きセンサ、カメラ及び／又は磁気計などは、制御器１２に集積化することができる。実際に実施する場合、制御器１２を人体の肩に設置することができ、そうすると人体の姿勢を確定するのに都合がよい。
【００９１】
実際の使用では、人体の心電図信号を取得したとき、心電図信号中のＲ波、Ｓ波、Ｔ波などを表１に記載の方法（即ち、ＶＰ＞ｋ１×ＶＲ、Ｐ、＋Ｒ、ＶＳ＞ｋ２×ＶＲ、−Ｓ、ＶＴ＞ｋ３×ＶＲ、＋Ｔ）に従って符号化し、符号化結果を得る。その後、符号化結果を表１中の符号値と比較する。最後に、比較した結果が一致したコード値に対応する姿勢を人体の姿勢として確定する。
【００９２】
本実施例は人体に装着可能な物品により、人体の心電図信号を検知することで人体の姿勢を確定し、快適性や美観性の維持が確保された状況の下で、人体の姿勢を正確に確定する技術効果を実現している。
【００９３】
【表１】
0003231429.tif 000003
【００９４】
表１中：
ＶＰ＞ｋ１×ＶＲは、Ｐ波の振幅がＲ波の振幅よりｋ１倍大きいことを表している。
【００９５】
Ｐは、Ｐ波が存在するか否かを表している。
【００９６】
＋Ｒは、プラス方向のＲ波が存在するか否かを表している。
【００９７】
ＶＳ＞ｋ２×ＶＲは、Ｓ波の振幅がＲ波の振幅よりｋ２倍大きいことを表している。
【００９８】
−Ｓは、マイナス方向のＳ波が存在するか否かを表している。
【００９９】
ＶＴ＞ｋ３×ＶＲは、Ｔ波の振幅がＲ波の振幅よりｋ３倍大きいことを表している。
【０１００】
＋Ｔは、プラス方向のＴ波が存在するか否かを表している。
【０１０１】
ｋ１、ｋ２及びｋ３は、機械学習方法を利用して確定することができる。例えば、ｋ１、ｋ２及びｋ３は下記の数式で表される方法に従って確定することができる。
【０１０２】
【数１】
0003231429.tif 000004
【０１０３】
ｋ１は０．１２が好ましい。ｋ２は０．１２が好ましい。ｋ３は０．６が好ましい。
【０１０４】
表１中に示す姿勢及びその変化は、複数回の学習を経て、下記の方法により確定することができる。
【０１０５】
人体が右側臥位且つ布団をかけている（又は圧力がかかっている）場合には、Ｒ、Ｓ、Ｔ波（振幅及び時間幅）がすべて大きくなる。人体が左側臥位且つ布団をかけている（又は圧力がかかっている）場合には、Ｒ、Ｔ波（振幅及び時間幅）がすべて小さくなる。人体が左側臥位で前傾している場合には、Ｒ、Ｓ、Ｔ波が大きくなる。人体が左側臥位で後傾している場合には、Ｒ、Ｓ、Ｔ波が小さくなる。人体が腹臥位且つ布団をかけている（又は圧力がかかっている）場合には、Ｒ、Ｓ、Ｔ波（振幅及び時間幅）がすべて小さくなる。人体が腹臥位で左側に偏倚している場合には、Ｒ、Ｓ、Ｔ波（振幅及び時間幅）がすべて大きくなる。人体が腹臥位で右側に偏倚している場合には、Ｒ、Ｓ、Ｔ波（振幅及び時間幅）がすべて小さくなる。
【０１０６】
選択可能な１つの実施例中、各電極の周囲にはフレームが設置されており、フレームは、外力を検知し、且つ外力が所定の閾値に達したとき、制御器１２を作動させて心電図信号を表示装置１６へ送信させるためのものである（図１４に示す）。
【０１０７】
そのうち、フレームの材料は、布材料、プラスチック材料、シリコーンゴム、ゴム、スポンジ、紡績糸などのうちのいずれか１つ以上の材料でよい。
【０１０８】
図２は、周囲にフレームが設置された電極を例示的に示す構造概念図である。電極１２１は衣服１１上に設置され、電極１２１の周囲にフレーム１４が設置されている。
【０１０９】
本開示における実施例では、フレーム１４を設置することにより、人体の姿勢を基にして、人体の心電図信号を検知するための適当な部位を確定することができ、これにより、電極に誤って接触することで入ってしまうノイズを遮断することができ、ポカヨケ効果を実現している。フレーム１４はノイズを遮断するので、フレーム１４はスイッチ又はフィルタに相当し得る。
【０１１０】
選択可能な１つの実施例中、各電極の底部には、各電極を持ち上がらせるための布材料、スポンジ、気嚢又は液嚢などの材料が設置されている。
【０１１１】
電極材料は縫製、貼付け等の方法でルームウェア型ウェアラブル装置本体１１と接続することができる。電極材料は、例えば、金属片、導電性ゴム、導電性布材料、導電性プラスチック材料、導電性シリコーンゴム、導電性スポンジなどのうちのいずれか１つ以上の材料でよい。
【０１１２】
本開示における実施例では、電極材料を設けることにより、電極と人体の接触をより良好にすることができる。
【０１１３】
選択可能な１つの実施例では、図３に示す通り、信号処理器１３は、具体的には増幅器１３１、バンドパスフィルタ１３２、アナログデジタル（Ａ／Ｄ）変換器１３３、特徴抽出器１３４及び判別器１３５を含み、増幅器１３１は制御器１２と互いに接続され、増幅器１３１はバンドパスフィルタ１３２と互いに接続され、バンドパスフィルタ１３２はアナログデジタル変換器１３３と互いに接続され、アナログデジタル変換器１３３は特徴抽出器１３４と互いに接続され、特徴抽出器１３４は判別器１３５と互いに接続される。増幅器１３１は、心電図信号を増幅するためのものである。バンドパスフィルタ１３２は、増幅後の心電図信号をフィルタリングして、高周波ノイズと低周波ノイズを除去するためのものである。アナログデジタル変換器１３３は、高周波ノイズと低周波ノイズを除去した心電図信号に対してアナログデジタル変換を行うためのものである。特徴抽出器１３４は、アナログデジタル変換後の心電図信号の振幅、時間幅及び位相に基づき、心電図信号の特徴を抽出するためのものである。判別器１３５は、振幅、時間幅及び位相に基づき、人体の姿勢を確定するためのものである。
【０１１４】
制御器１２がアナログデジタル変換後の心電図信号に対して行う処理については、文献を参照されたい（Ｗｉｌｌｉｓ  Ｊ．  Ｔｏｍｐｋｉｎｓ，  “Ｂｉｏｍｅｄｉｃａｌ  Ｄｉｇｉｔａｌ  Ｓｉｇｎａｌ  Ｐｒｏｃｅｓｓｉｎｇ：  Ｃ−Ｌａｎｇｕａｇｅ  Ｅｘａｍｐｌｅｓ  ａｎｄ  Ｌａｂｏｒａｔｏｒｙ  Ｅｘｐｅｒｉｍｅｎｔｓ  ｆｏｒ  ｔｈｅ  ＩＢＭ  ＰＣ”，  （米），  Ｐｒｅｎｔｉｃｅ−Ｈａｌｌ，  Ｉｎｃ．，  １９９３）。
【０１１５】
具体的な実施過程では、心電図によってＰ、Ｑ、Ｒ、Ｓ、Ｔの少なくとも１つの波の位置と方向、及びＰ、Ｑ、Ｒ、Ｓ、Ｔの少なくとも１つの波の振幅、並びに各波の時間幅を確定することができる。同時に、人体の前、後、左、右の少なくとも１つの方向の電極を逆に接続して、反転心電図を生成してもよい。
【０１１６】
本実施例中、バンドパスフィルタ１３２は、４次ベッセル型のバンドパスフィルタが好ましく、通過帯域は０．０６〜４０Ｈｚである。
【０１１７】
先に最も大きな振幅に対応する波をＲ波として確定する。Ｒ波の振幅は２つの電極の電位差でよい。
【０１１８】
本明細書中、位相は順方向と逆方向を含む。心電図上で上向きのピークを順方向と確定し、心電図上で下向きのピークを逆方向と確定することができる。
【０１１９】
選択可能な１つの実施例中、判別器１３５は、具体的には対応関係を基に、振幅、時間幅及び位相に基づき、人体の姿勢を確定するためのものであり、対応関係は、振幅、時間幅及び位相と人体の姿勢との間の関係を表すためのものである。
【０１２０】
具体的な実施過程では、振幅、時間幅及び位相と人体の姿勢との間の対応関係を予め定めた上でデータベース中に記憶することができる。心電図信号を検知したとき、心電図信号が有するある波の振幅、時間幅及び位相を抽出し、且つデータベース中の対応関係と照合し、照合が成功した場合、照合した人体姿勢を判別器の確定結果とする。
【０１２１】
代替可能な実施例として、上述の対応関係を符号化の形式で置き換えることもできる。抽出した振幅、時間幅及び位相を符号化した後、それをデータベース中の所定コードと照合し、照合が成功した場合、照合したコードに対応する姿勢を判別器の確定結果とする。
【０１２２】
本開示を理解できるよう、以下では具体的な実施例を基に本開示について詳細に説明する。
【０１２３】
図４は、ルームウェア型ウェアラブル装置正面上の２つの電極とＲ波等電位線を例示的に示した概念図である。図５は、ルームウェア型ウェアラブル装置背面上の２つの電極とＲ波等電位線を例示的に示した概念図である。そのうち、矢印は電極が電源（図中＋−で示されている）により給電されていることを示しており、以下も同様である。
【０１２４】
本実施例では、図４及び図５に示す通り、ルームウェア型ウェアラブル装置本体は寝間着である。制御器１２は第１及び第２電極を含む。第１電極は以下の方法で設置される。第１電極１２１ａ（即ち右側の電極）は、Ｒ波の等電位線が−１の位置（即ちＶ１誘導の位置）から、右側へＲ波の等電位線が−０．５の位置（即ち身体右側の第６肋骨の位置）まで延在し、さらにＲ波の等電位線が−０．３の位置（即ち背中右側の肩胛骨の位置）まで延在する方法で設置される。第２電極１２１ｂ（即ち左側の電極）は、Ｒ波の等電位線が０．３の位置（即ちＶ２誘導の位置）から、さらにＲ波の等電位線が１．４の位置（即ち肋骨のＶ６誘導の位置）まで延在し、さらにＲ波の等電位線が０．３の位置（即ち背中左側の第１２肋骨の位置）まで延在する。
【０１２５】
さらに、両側の電極（１２１ａ、１２１ｂ）は、それぞれ背中右側の肩胛骨の位置、背中左側の第１２肋骨の位置から、さらに袖口脇下部の位置まで延在してもよいし、さらに腕の位置まで延在してもよい。
【０１２６】
上述の技術案を採用した場合、人体が腹臥位であるとき、心電図信号の振幅は最も大きく、Ｓ波が顕著になる。人体が左側臥位であるとき、心電図信号の振幅は中央にある。人体が仰臥位であるときの心電図信号と人体が右側臥位であるときの心電図信号は似ているが、人体が仰臥位であるときはＲ波が顕著になる。人体が右側臥位であるとき、心電図信号の振幅は最も小さくなる。
【０１２７】
本実施例では、寝間着の内外どちらにも電極が設けられているため、導通しやすい。例えば、人体が右側臥位であるとき、人体の左右の腕はどちらも電極に接触することができる。
【０１２８】
選択可能な１つの実施例は、図６及び図７に示す通りであり、図６及び図７中の曲線は等電位線を示している。矢印は電極（１２１ｃ、１２１ｄ、１２１ｅ、１２１ｆ）が電源により給電されていることを示している。ルームウェア型ウェアラブル装置本体１１は衣服１０である。制御器１２は第１及び第２電極（１２１ｃ、１２１ｄ）を含む。第１及び第２電極（１２１ｃ、１２１ｄ）はそれぞれ衣服１０（図６、７に示すルームウェア型ウェアラブル装置本体１１）の両側に設置される。第１電極１２１ｃは、人体右側の第６肋骨の位置から、さらに人体の背中左側の第１２肋骨の位置まで延在する方法で設置される。第２電極１２１ｄは、Ｖ２誘導の位置から左側へ向かってＶ６誘導の位置まで延在し、さらに左後側の位置まで延在する方法で設置される。
【０１２９】
具体的には、第１電極１２１ｃは、Ｒ波の等電位線が−０．３の位置（即ち右脇下の第５肋骨の位置）から、右後ろのＲ波の等電位線が−０．３の位置を越えてＲ波の等電位線が０．３の位置に近いところを通過するまで延在する方法で設置される。第２電極１２１ｄは、Ｒ波の等電位線が１．４の位置（即ち脇下のＶ６位置）から、Ｒ波の等電位線が−０．７の位置（即ち右前胸のＶ１を越えた位置）まで延在する方法で設置される。
【０１３０】
選択可能な１つの実施例は、図６及び図７に示す通りであり、図６及び図７中の曲線は等電位線を示している。ルームウェア型ウェアラブル装置本体１１は衣服１０である。制御器１２は第１及び第２電極（１２１ｅ、１２１ｆ）を含む。図６及び図７中、点線の枠で示すように、２つの電極（１２１ｅ、１２１ｆ）はそれぞれ衣服１１の両側に設置される。第１電極１２１ｅは、Ｒ波の等電位線が−０．５の位置（即ち右脇下の第４肋骨の位置）から、Ｒ波の等電位線が−０．３の位置に近いところ（即ち背中右側肩胛骨の内側の位置）まで延在する方法で設置される。第２電極１２１ｆは、Ｒ波の等電位線が０．５の位置（即ち脇下）から、等電位線が−０．７の位置（即ち右前胸のＶ１の位置）まで延在する方法で設置される。
【０１３１】
本実施例は、人体の胸部及び背中に対して検知することにより、後壁梗塞の情報を取得することができる。
【０１３２】
選択可能な１つの実施例は、図８及び図９に示す通りであり、図中の曲線は等電位線を示している。ルームウェア型ウェアラブル装置本体１１はＴシャツ１０である。制御器１２は第１、第２及び第３電極（１２１ｇ、１２１ｈ、１２１ｉ）を含む。第１電極１２１ｇは、Ｒ波の等電位線が−０．５の位置（即ち右脇下の第４肋骨の位置）から、Ｒ波の等電位線が０．３の内側の位置に近いところ（即ち背中右側肩胛骨）まで延在する。第２電極１２１ｈは、Ｒ波の等電位線が１．４の位置（即ち脇下）から、Ｒ波の等電位線が−０．３の位置まで延在する。第３電極１２１ｉは、等電位線が０．５の位置（即ち左側裾）に置く。
【０１３３】
代替可能な実施例として、図８及び図９に示す実施例を基に、第１電極１２１ｇは、Ｒ波の等電位線が−０．５の位置（即ち右脇下の第４肋骨の位置）から、Ｒ波の等電位線が−０．３の位置（即ち背中右側肩胛骨の位置）まで延在する。第２電極１２１ｈは、Ｒ波の等電位線が１．４の位置（即ち脇下の位置）から、Ｒ波の等電位線が０．３の位置まで延在させる。第３電極１２１ｉは、等電位線が０の位置（即ち右側裾の位置）に置く。
【０１３４】
代替可能な実施例として、図８及び図９に示す実施例を基に、第１電極１２１ｇは、Ｖ１誘導の位置から、右へ向かって人体右側の第６肋骨の位置まで延在し、さらに人体背中右側の肩胛骨の位置まで延在する方法で設置される。第２電極１２１ｈは、Ｖ２誘導の位置からＶ６誘導の位置まで延在し、さらに人体背中左側の第１２肋骨の位置まで延在する。第３電極１２１ｉは、Ｒ波の等電位線が０．５の位置に設置する。
【０１３５】
選択可能な１つの実施例は、図１０及び図１１に示す通りであり、図中の曲線は等電位線を示している。ルームウェア型ウェアラブル装置本体１１はＴシャツ１０である。制御器１２は第１〜第４電極（１２１ｊ、１２１ｋ、１２１ｌ、１２１ｍ）を含む。第１電極１２１ｊは、Ｒ波の等電位線が−１付近の位置（即ちＶ１誘導の位置）から、右へ向かってＲ波の等電位線が−０．５の位置（即ち人体右側の第６肋骨の位置）まで延在し、さらにＲ波の等電位線が−０．３ボルト付近の位置（即ち人体背中右側の肩胛骨の位置）まで延在する。第２電極１２１ｋは、衣服１０（図１０、１１に示すルームウェア型ウェアラブル装置本体１１）の裾の位置に設置し、且つＲ波の等電位線が０付近の位置に設置することができる。第３電極１２１ｌは、Ｒ波の０．３等電位線付近の位置（即ちＶ２誘導の位置）から、Ｒ波の等電位線が１．４付近の位置（即ちＶ６誘導の位置）まで延在し、さらにＲ波の等電位線が０．３付近の位置（即ち人体背中左側の第１２肋骨の位置）まで延在し、第４電極１２１ｍは、衣服１０（図１０、１１に示すルームウェア型ウェアラブル装置本体１１）の裾に設置し、且つＲ波の等電位線が０．５付近の位置に設置することができる。
【０１３６】
選択可能な１つの実施例では、ルームウェア型ウェアラブル装置本体は衣服である。制御器は第１〜第４電極を含む。電極は、右脇下の第４肋骨の位置、即ちＲ波の等電位線が−０．５の位置から、Ｒ波の等電位線が−０．３付近の位置（即ち背中右側肩胛骨）まで延在する、又はＲ波の等電位線が−０．３等電位線の位置を起点とする。第２電極は、脇下、即ちＲ波の等電位線が１．４の位置から、Ｒ波の等電位線が０．３の位置まで延在する、又はＲ波の等電位線が０．３の位置を起点とする。第３電極は、等電位線が０の位置（即ち右側裾）に置く。第４電極は、Ｒ波の等電位線が０．５の位置に設置する。選択可能な１つの実施例では、図１２及び図１３に示す通り、ルームウェア型ウェアラブル装置本体１１は衣服１０である。衣服１０には第１〜第８電極（１２１ｎ、１２１ｏ、１２１ｐ、１２１ｑ、１２１ｒ、１２１ｓ、１２１ｔ、１２１ｕ）が設置されている。例えば、衣服１０の左右脇下には各々２つの電極（１２１ｎ、１２１ｏ、１２１ｐ、１２１ｑ）が設けられており、胸部及び背中部にも各々２つの電極（１２１ｒ、１２１ｓ、１２１ｔ、１２１ｕ）が設けられている。第１電極１２１ｎは、Ｒ波の等電位線が−０．５の位置（即ち右脇下の第４肋骨の位置）に設置する、又はＲ波の等電位線が−０．５等電位線の位置を起点とする。第２電極１２１ｐは、Ｒ波の等電位線が０の位置に設置する（即ち右側裾の位置）。第３電極１２１ｏは、Ｒ波の等電位線が１．４の位置（Ｖ６誘導の位置）に設置する、又は、Ｒ波の等電位線が１．４の位置を起点とする。第４電極１２１ｑは、Ｒ波の等電位線が０．５ボルトの位置に設置する。第５電極１２１ｒは、Ｖ１誘導の位置に設置する。第６電極１２１ｓは、Ｖ２誘導の位置に設置する。第７電極１２１ｔは、Ｒ波の等電位線が−０．３の位置（即ち背中右側肩胛骨の位置）に設置する。第８電極１２１ｕは、Ｒ波の等電位線が０．３ボルトの位置（即ち人体の第１２肋骨の位置）に設置する。
【０１３７】
図４〜図９に示す実施例中、ルームウェア型ウェアラブル装置の左右両側の電極は、左右脇下部の位置まで延在してもよいし、さらに腕の位置まで延在してもよい。
【０１３８】
選択可能な１つの実施例中、各電極は内外どちらも導電性がある電極である。
【０１３９】
本実施例では、内外どちらも導電性がある電極を採用することにより、腕の心電信号をより容易に測定することができる。
【０１４０】
人体が活動している状況においても人体の心電図信号を検知し得ることを保証するために、選択可能な１つの実施例中、心電図信号はＲ波を含み、複数の電極同士の間隔はＲ波等電位差の０．２倍よりも大きい。
【０１４１】
Ｒ波は、心臓の脚ブロック又は変行伝導を示している。
【０１４２】
４つの電極の例では、４つの電極を人体の心電図信号測定対象位置である前、後、左、右に配置した場合、前、後、左、右にある４つの電極同士の距離はＲ波等電位差の０．２倍よりも大きい。
【０１４３】
選択可能な１つの実施例中、ルームウェア型ウェアラブル装置は、信号処理器１３と互いに接続される警報装置をさらに含むことができる。警報装置は、振幅、時間幅及び位相のうちのいずれも１つが所定の閾値を超えた場合に、警報信号を発するためのものである。
【０１４４】
警報信号は、音声信号、光信号などでよい。
【０１４５】
選択可能な１つの実施例では、図１４に示す通り、ルームウェア型ウェアラブル装置は、記録装置１５と表示装置１６をさらに含むことができる。記録装置１５は制御器１２と互いに接続される。表示装置１６は記録装置１５と互いに接続される。制御器１２は、連続的に検知される心電図信号を検知し、且つ連続的に検知される心電図信号を記録装置１５へ送信するためのものでもある。制御器１２は、連続的な情報を記録装置１５へ送信するためのものでもある。記録装置１５は、連続的な心電図信号及び連続的な人体の姿勢情報を対応付けて、連続的な心電図信号及び姿勢情報を形成し、且つ心電図信号及び姿勢情報を表示装置１６へ送信するためのものである。表示装置１６は、形式を設定して、心電図信号及び姿勢情報を表示するためのものである。
【０１４６】
設定する形式は、動画、モーショングラフなどを含むが、これらに限らない。
【０１４７】
本実施例は、上述の技術案を採用することにより、検知した心電図信号及び確定した人体の姿勢を、長時間の連続的な心電図及び姿勢情報（即ち連続的な情報）に統合することができ、さらに連続的な情報をモーショングラフ又は動画などの形式で表示することもできる。
【０１４８】
そのうち、治療用の電気回路は、電熱回路、冷却回路、ＴＥＮＳ（経皮的電気神経刺激）回路などを含むが、これらに限らない。
【０１４９】
代替可能な１つの実施例として、図１５及び図１６に示す通り、本開示の実施例ではルームウェア型ウェアラブル装置を提供するが、それは人体に使用される。ルームウェア型ウェアラブル装置は、ルームウェア型ウェアラブル装置本体１１、制御器１２及び通信装置１７を含むことができ、ルームウェア型ウェアラブル装置本体１１は制御器１２、複数の電極１１’とそれぞれ互いに接続され、制御器１２は複数の電極１１’と互いに接続され、制御器１２は通信装置１７と互いに接続され、通信装置１７は端末１８又はクラウド１９と通信接続される。ルームウェア型ウェアラブル装置本体１１は、制御器１２を載荷するためのものである。制御器１２は、複数の電極１１’を介して人体を検知して、人体の心電図及びその信号を取得するとともに、心電図信号を通信装置１７へ送信するためのものであり、複数の電極１１’は、心電図の等電位線に従って設置される。通信装置１７は、心電図信号を端末１８又はクラウド１９へ送信して、端末１８又はクラウド１９が心電図信号に基づいて人体の姿勢を確定するようにさせるためのものである。
【０１５０】
選択的に、心電図信号は振幅、時間幅及び位相を含み、クラウド１９は、心電図信号の振幅、時間幅及び位相に基づき、人体の姿勢を確定する。
【０１５１】
端末１８は、スマートフォン、タブレット、デスクトップパソコン、ノートパソコンなどを含むが、これらに限らない。
【０１５２】
上述の通信装置１７は、３Ｇ（第３世代移動通信技術）、４Ｇ（第４世代移動通信技術）、５Ｇ（第５世代移動通信技術）により、ＨＴＴＰプロトコルの通信方法を利用するか、ＨＴＴＰｓプロトコルの通信方法を利用するなどして、心電図信号を端末１８又はクラウド１９へ送信することができる。
【０１５３】
本実施例に関する作動原理及び得られる技術効果などについては、前述の実施例中の記述を参考にできるため、ここでは説明を省略する。
【０１５４】
本開示の実施例がさらに提供するルームウェア型ウェアラブル装置は、人体に使用され、ルームウェア型ウェアラブル装置は、ルームウェア型ウェアラブル装置本体１１及び制御器１２を含み、ルームウェア型ウェアラブル装置本体１１は、互いに接続される複数の電極１１’を含み、複数の電極１１’は制御器１２と互いに接続され、制御器１２は信号処理器１３を含む。そのうち、制御器１２は、ルームウェア型ウェアラブル装置本体１１が任意の状態にあるとき、複数の電極１１’を介して人体を検知して、人体の心電図及び心電図信号を取得するとともに、心電図信号に基づいて、また姿勢センサを利用して、姿勢を検出する。姿勢センサは、加速度計、ジャイロスコープ、傾きセンサ、織物静電容量センサ又は画像抽出装置であり、複数の電極は、心電図の等電位線に従って設置される。
【０１５５】
そのうち、姿勢には、仰臥位姿勢、左側臥位姿勢、右側臥位姿勢、腹臥位姿勢、左側臥位から前へ向かって変化した姿勢、右側臥位から変化した姿勢、人体に布団を被せた姿勢、人体に布団を被せていない姿勢、立位姿勢、歩行姿勢、外物の干渉を受けた姿勢のうち任意の１つ以上が含まれる。
【０１５６】
本実施例に関する作動原理及び得られる技術効果などについては、前述の実施例中の記述を参考にできるため、ここでは説明を省略する。
【０１５７】
なお、本明細書中、例えば第１及び第２などの類に関する用語は、１つの実体又は操作をもう１つの実体又は操作と区別するために用いたに過ぎず、これらの実体又は操作同士に何らかの実際の関係や順序が存在することを要求したり暗示したりしているわけではないことに留意されたい。また、「含む」、「包含する」という用語、又はその用語のその他何らかの変形は、非排他的な包含を網羅することが意図されており、一連の要素を含むプロセス、方法、物品又は装置はそれらの要素を含むだけでなく、明示的に列挙されていない他の要素も含むか、又はプロセス、方法、物品若しくは装置に固有の要素も含み得る。更なる制限が存在しない状態において、「１つの〜を含む」という語句によって限定された要素については、その要素を含むプロセス、方法、物品又は装置中に別の同一の要素が更に存在することを排除するものではない。  
【０１５８】
「互いに接続」、「接続」などの用語の意味は広く理解されるべきである。例えば、固定接続や、着脱可能な接続でもよいし、一体的な接続でもよい。機械的な接続や、電気的な接続でもよい。直接的に接続又は互いに接続してもよいし、中間媒体を介して間接的に接続又は互いに接続してもよいし、二つの部材の内部が連通してもよい。無線接続や、有線接続でもよい。当業者であれば、実際の具体的な状況に応じて上述の用語の本明細書における具体的な意味を理解し得る。  
【０１５９】
上述の本考案が開示した任意の技術案において使用される、位置関係又は形状を表すための用語については、声明が別段にない限り、その意味には、それと近似、類似又は近い状態若しくは形状が含まれる。本考案が提供する任意の部材は、複数の単独の構成要素を組み立てることで成るものでもよいし、一体成形法により製造された単独の部材でもよい。
【０１６０】
なお、簡略化のため、本明細書は相対的な方法によって実施例を記述していることに留意されたい。上述の各実施例では、同一内容を省略し、各実施例同士の違いについて詳細に記述している。当業者であれば、上述の各実施例同士は互いに参照可能であることを理解し得る。
【０１６１】
本明細書に記載された特徴及び優位点は包括的ではない。具体的に言えば、図面、明細書及び実用新案登録請求の範囲を考慮すれば、当業者にとって多くの附加的な特徴及び優位点は明らかである。また、明細書中で使用する言語は、主に可読性及び教示的な目的から選択されたものであり、本考案のテーマを画定又は限定するために選択されたわけではないことに留意されたい。
【０１６２】
上述は、本考案の好ましい実施例に過ぎず、本考案を何らかの形式により限定するものではない。上述のような本考案の好ましい実施例による開示は、本考案を限定するためのものではく、当業者であれば、本考案の技術案の範囲を逸脱せずに、上述の開示された技術内容を用いて、幾らかの変更又は改造を加えて等価変更した同等の実施例を実施可能であり、いずれも本考案の技術案の内容を逸脱せず、本考案の技術的本質に基づき上述の実施例に対して行う何らかの簡単な修正、等価変更及び改造は、いずれも本考案の技術案の保護範囲に属する。
【図１】
0003231429.tif 000005
【図２】
0003231429.tif 000006
【図３】
0003231429.tif 000007
【図４】
0003231429.tif 000008
【図５】
0003231429.tif 000009
【図６】
0003231429.tif 000010
【図７】
0003231429.tif 000011
【図８】
0003231429.tif 000012
【図９】
0003231429.tif 000013
【図１０】
0003231429.tif 000014
【図１１】
0003231429.tif 000015
【図１２】
0003231429.tif 000016
【図１３】
0003231429.tif 000017
【図１４】
0003231429.tif 000018
【図１５】
0003231429.tif 000019
【図１６】
0003231429.tif 000020